(57)【要約】【課題】  埋設物の有無を容易且つ確実に確認でき、その有無を確実に報知可能な埋設物標示マーカーを提供する。【解決手段】  発光部本体と支持体を備え、発光部本体は発光色の異なる二以上の光源と発光する光源を埋設物の有無に応じて切換え可能な切り替え手段を備え、支持体は上端側に支持部を、下端側に差し込み部を備え、当該差し込み部を地中に差込むことによって前記発光部本体を地表面よりも上方に突出するように支持できる長さとした。発光色の異なる二以上の光源を設ける代わりに、埋設物の有無に応じて取り換え可能な異なる色のカバーを設けることもできる。光源は発光方式を連続発光と間欠発光に切替え可能としてもよい。光源にＬＥＤを用いてもよい。発光部本体に電池を内蔵し、光源が電池で発光するようにしてもよい。発光部本体外に防護体を設けてもよい。【選択図】図１
2014029069.tif 000002
【特許請求の範囲】
【請求項１】
地中に埋設された埋設物の位置やその有無を標示する埋設物標示マーカーであって、
発光部本体とその発光部本体を支持する支持体を備え、
前記発光部本体は、発光色の異なる二以上の光源と発光する光源を埋設物の有無に応じて切換え可能な切り替え手段を備え、
前記支持体は、上端側に発光部本体を支持可能な支持部を、下端側に地中に差込み可能な差し込み部を備え、当該差し込み部を地中に差込むことによって前記発光部本体を地表面よりも上方に突出するように支持できる長さである、
ことを特徴とする埋設物標示マーカー。
【請求項２】
地中に埋設された埋設物の位置やその有無を標示する埋設物標示マーカーであって、
発光部本体とその発光部本体を支持する支持体を備え、
前記発光部本体は光源と当該光源から出射される光を透過可能なカバーを備え、当該カバーは埋設物の有無に応じて異なる色のカバーに取り換え可能であり、
前記支持体は上端側に発光部本体を支持可能な支持部を備え、下端側に地中に差込み可能な差し込み部を備え、当該差し込み部を地中に差込むことによって前記発光部本体を地表面よりも上方に突出するように支持できる長さである、
ことを特徴とする埋設物標示マーカー。
【請求項３】
請求項１又は請求項２記載の埋設物標示マーカーにおいて、
光源の発光方式を連続発光と間欠発光とに切り替え可能である、
ことを特徴とする埋設物標示マーカー。
【請求項４】
請求項１乃至請求項３のいずれか１項に記載の埋設物標示マーカーにおいて、
光源がＬＥＤである、
ことを特徴とする埋設物標示マーカー。
【請求項５】
請求項１乃至請求項４のいずれか１項に記載の埋設物標示マーカーにおいて、
発光部本体に電池が内蔵され、光源が電池で発光する、
ことを特徴とする埋設物標示マーカー。
【請求項６】
請求項１乃至請求項５のいずれか１項に記載の埋設物標示マーカーにおいて、
発光部本体のカバーの外にカバーを保護するための防護体が設けられた、
ことを特徴とする埋設物標示マーカー。
【発明の詳細な説明】
【技術分野】
【０００１】
本発明は、地中に埋設されている配管（水道管やガス管）やケーブル（通信用や送電用）等の各種埋設物の有無やその埋設位置を標示する埋設物標示マーカーに関する。
【背景技術】
【０００２】
地中には、水道管やガス管の配管や通信用や送電用のケーブル等が地中に埋設されている。このような箇所で配管やケーブルの補修工事、交換工事、増設工事等々の各種工事を行う場合、埋設物を破損しないように注意深く作業を行う必要がある。このため、通常は人力で先掘りして埋設物の有無を確認しているが、それでも埋設物を破損することがある。水道管やガス管の破損は勿論のこと、近年急速に普及している光ケーブル等のインターネット回線の破損も日常生活に大きな影響が及ぶため、社会的にも重要な課題として考えられている。このため、各地方整備局で事故防止マニュアルを作成する等の対策を講じているが、埋設物の破損事故を完全に防止するには至っていない。
【０００３】
従来、埋設物の破損事故対策として、「水道管注意」などの文字が表示された標識シート（特許文献１）や、無線アンテナを備えた埋設物探知マーカー（特許文献２）、標識シートと無線アンテナの双方を備えた埋設物位置標示具（特許文献３）といった各種埋設物標示マーカーが開発されている。これらのほか、簡易な方法として、埋設物の近傍にスコップなどを立てて目印とすることもあった。
【先行技術文献】
【特許文献】
【０００４】
【特許文献１】特開２０００−１４４６５６号公報
【特許文献２】実開昭６３−８１２７７号公報
【特許文献３】特開２０１０−２３０５号公報
【発明の概要】
【発明が解決しようとする課題】
【０００５】
前記特許文献１乃至３記載のマーカーはいずれも地中に埋設するタイプのものであるため、埋設物の位置を地上で把握することができず、作業者が見逃して埋設物を破損することがある。埋設物の近傍にスコップなどを立てて目印とする方法は、目印自体を見逃すおそれがあり、埋設タイプのマーカーと同様の問題がある。また、スコップのように目印として使える適当な道具がない場合には標示のしようがない。
【０００６】
また、特許文献１や特許文献３記載のマーカーのように、標識シートを使用する場合は、当該標識シートが埋設物よりも長かったり短かったりすると、埋設物の埋設箇所を正確に把握するのが困難である。標識シートを埋設物の側方近くに敷設せざるを得ない場合は、標識シートと埋設物との間隔が狭いため、バックホウ（掘削機）のショベル（バケット）で地面を掘削すると、掘削具が標識シートのみならず埋設物にまで達して埋設物を破損するおそれがある。
【０００７】
本発明の目的は、埋設物の有無を容易且つ確実に確認でき、その有無を掘削機のオペレーターや作業に関与する人々に確実に報知することもできる埋設物標示マーカーを提供することにある。
【課題を解決するための手段】
【０００８】
本発明の埋設物標示マーカーは、地中に埋設された埋設物の位置やその有無を標示する埋設物標示マーカーであって、発光部本体とその発光部本体を支持する支持体を備え、前記発光部本体は発光色の異なる二以上の光源と発光する光源を埋設物の有無に応じて切換え可能な切り替え手段を備え、前記支持体は上端側に発光部本体を支持可能な支持部を備え、下端側に地中に差込み可能な差し込み部を備え、当該差し込み部を地中に差込むことによって前記発光部本体を地表面よりも上方に突出するように支持できる長さとしたものである。本願において、「地表面」とは、掘削前の地表面のみならず、掘削後の掘削表面（掘削によって低くなった場合の最表面）を含むものであり、「発光部本体を地表面よりも上方に突出するように支持できる」とは、少なくともオペレーター等の作業者が発光部本体を視認可能な状態で地上に支持できることを意味する。
【０００９】
本発明の埋設物標示マーカーは、地中に埋設された埋設物の位置やその有無を標示する埋設物標示マーカーであって、発光部本体とその発光部本体を支持する支持体を備え、前記発光部本体は光源と当該光源から出射される光を透過可能なカバーを備え、当該カバーは埋設物の有無に応じて異なる色のカバーに取り換え可能であり、前記支持体は上端側に発光部本体を支持可能な支持部を備え、下端側に地中に差込み可能な差し込み部を備え、当該差し込み部を地中に差込むことによって前記発光部本体を地表面よりも上方に突出するように支持できる長さとしたものである。前記カバーは、取り換え式とする代わりに、異なる二以上の色（例えば、赤と青）に着色されたカバーを用いることもできる。この場合、光源を一つだけ用いるときは光源の出射角度を変えることによって、二以上の光源を用いるときは発光させる光源を切り替えることによって、色を切り替えられるようにすることができる。カバーを取り換える代わりに、カバーの外側又は内側に設けることのできる着色フィルムなどを取り換えられるようにしてもよい。色の切替えはこれ以外の方法で行うこともできる。
【００１０】
前記埋設物標示マーカーは、光源の発光方式を連続発光（点灯）と間欠発光（点滅）に切り替えられるようにしてもよい。発光部本体と支持体は別体とし、発光部本体を支持体に脱着可能としてもよい。
【００１１】
前記埋設物標示マーカーにおいて、光源としＬＥＤを用いることができる。発光部本体に電池を内蔵し、光源が電池で発光するようにすることもできる。発光部本体の少なくともカバーの外に被せる防護体を設けることもできる。
【発明の効果】
【００１２】
本発明の埋設物標示マーカーは、次のような効果がある。
（１）支持体の差し込み部を地中に差込むことによって発光部本体を地表面よりも上方に突出させることができるので、発光部本体の発光状況（点灯状況或いは色）を見るだけで埋設物の有無及び位置を確認することができる。
（２）支持体の差し込み部を地中に差込むだけで地中に立てることができるので、表示マーカーの設置が容易である。
（３）発光部本体に発光色の異なる二種以上の光源を設けた場合、例えば、埋設物があるときには赤色の光源を、埋設物がないときには青色の光源を発光する等して、埋設物の有無に応じて色分けすることができる。
（４）埋設部の有無によって発光部本体の発光状態を切り替えられるようにした場合、例えば、埋設物があるときには連続発光（点灯）、ないときには間欠発光（点滅）にして、埋設物の有無を判別可能とすることができる。
（５）発光部本体を支持体に脱着可能とした場合、発光部本体を支持体の一方が破損したときは、破損した方のみを交換すればよく、他方はそのまま使用することができるので経済的である。
（６）光源にＬＥＤを用いた場合、消費電力が少ないため長期間発光できる。
（７）発光部本体に電池を内蔵すれば、商用電源の取れない場所でも使用でき、使用場所の制約がない。
【図面の簡単な説明】
【００１３】
【図１】（ａ）〜（ｃ）は本発明の埋設物標示マーカーの使用例を示す説明図。
【図２】本発明の埋設物標示マーカーの一例を示す分解斜視図。
【図３】図２の埋設物標示マーカーの発光部本体の詳細を示すものであって、（ａ）はその上方斜視図、（ｂ）は（ａ）の分解図、（ｃ）は（ａ）の下方分解斜視図。
【図４】本発明の埋設物標示マーカーの電池交換方法の一例を示すものであって、（ａ）は保護体の取り外し方法の説明図、（ｂ）は筐体の取り外し方法の説明図、（ｃ）は電池の取り換え方法の説明図。
【発明を実施するための形態】
【００１４】
（実施形態）
本発明の埋設物標示マーカー１の一例を、図面を参照して説明する。この実施形態の埋設物標示マーカー１は、図１（ａ）〜（ｃ）に示すように、地中Ｇに埋設された埋設物Ｘの位置やその有無を標示するマーカーであって、地中Ｇを先掘りし、先掘り範囲内にマーカーを差込み、その先掘り範囲内の埋設物Ｘの有無に応じて埋設物標示マーカー１の発光色を選択して発光させ、土木作業用重機（バックホウ等）のオペレーターが視認できるようにするものである。
【００１５】
一例として図２に示す埋設物標示マーカー１は、発光部本体２と、その発光部本体２を支持する細長の支持体３を備えている。支持体３は下端側の差し込み部４（図１（ｂ）（ｃ））を地中Ｇに差し込んでも、上端側に装備された発光部本体２が地表面Ｈから上方に突出できる長さにして、土木作業用重機の操縦席に乗っているオペレーターが視認できるようにしてある。
【００１６】
発光部本体２と支持体３は一体物とすることもできるが、ここでは、図２に示すように、発光部本体２と支持体３とが別体であって、支持体３をパイプとし、その先端に発光部本体２を差し込み、取り外し可能とした場合を一例として説明する。
【００１７】
図２に示す発光部本体２は、略円筒状の筐体５の上面に光源（ＬＥＤ）６、７の夫々が三個一列にして横二列に配置されており、そのうちの一列の光源６には赤色発光ダイオードが、他の一列の光源７には青色発光ダイオードが使用されている。光源６、７は外部から視認し易くするため、図３（ａ）（ｂ）に示すように、筐体５の上面に、平面８とその左右に連続する斜面９、１０を備えた支持盤１１を設け、その平面８と斜面９、１０の三面に赤色発光ダイオードと、青色発光ダイオードを二列に配置してある。二列の光源６、７の発光色は異なるものであれば他の色であってもよい。各列の光源６、７の数も三個に限らず一個又は二個、或いは四個以上であってもよく、外部から視認され易い位置に、視認され易い数だけ配置することができる。
【００１８】
筐体５内には回路基板１２が内蔵されている。回路基板１２には光源６、７の発光、点灯、点滅等の制御に必要な回路が形成され、電気部品が搭載されている。図３（ｃ）に示すように、発光部本体２には電池１３が内蔵されている。電池１３には筐体５を小型化、薄型化するためには、釦電池のような扁平なもの、他の形状の小型のものを使用するのが望ましい。電池１３には、例えば、リチウム電池ＣＲ２０３２を使用することができるが、他の電池を使用することもできる。
【００１９】
筐体５は、電源スイッチＳＷ１と切り替えスイッチＳＷ２を備える。電源スイッチＳＷ１は光源６、７の電源をＯＮ、ＯＦＦするものである。切り替えスイッチＳＷ２は前記二列の光源６、７発光を切り替えるものであり、筐体５の側周面に表記してある一方のマーク（例えば赤マーク）１４側にセットすると赤の光源６が点灯し、他方のマーク（例えば青マーク）１５側に切り替えると青色の光源７が点灯するようにしてある。電源スイッチＳＷ１と切り替えスイッチＳＷ２は筐体５の外に突出して、筐体５の外から操作可能としてある。
【００２０】
光源６、７は連続発光（点灯）であってもよく、間欠発光（点滅）であってもよい。必要に応じて点灯と点滅を切り替え可能とすることもできる。
【００２１】
筐体５の上には透明なカバー１６を被せて固定してある。カバー１６はほぼ半球状であり、光源６、７からの出射光が外周四方に透過するようにしてある。カバー１６は樹脂製とすることができる。
【００２２】
前記筐体５は取付け台座１７に取付けられている。具体的には図３（ａ）〜（ｃ）に示すように、細長の支持杆（パイプ）１８の上に固定された支持板（円板）１９の上に、筒状の受け材２０が固定（例えば、接着剤で接着固定）されており、その受け材２０の内側に筐体５が螺合されて、着脱可能としてある。
【００２３】
前記細長の支持杆１８は、図２に示すように、支持板１９の底面から下方に丸パイプ２４が突設され、丸パイプ２４内に丸棒２５の上部が差し込まれて固定されている。
【００２４】
発光部本体２の外周には、発光部本体２を保護するための保護体２１を設けてある。一例として図２に示す保護体２１は、四本の湾曲フレーム２１ａ〜２１ｄが半円弧状の十字形に組み立てられ、それら湾曲フレーム２１ａ〜２１ｄの下端側が環状フレーム２１ｅに固定されている。前記四本の湾曲フレーム２１ａ〜２１ｄと環状フレーム２１ｅの間には、発光部本体２が収まる広さの空間が設けられており、その空間を発光部本体２の外周に被せ、前記環状フレーム２１ｅを図４（ａ）のように取付け台座１７の支持板１９にネジ止めしてある。前記環状フレーム２１ｅの二箇所にはスリット２３ａ、２３ｂが設けられ、保護体２１を被せるとき或いは取り外す際に、電源スイッチＳＷ１、切り替えスイッチＳＷ２が通過できるようにしてある。図示した保護体２１は一例であり、他の形状及び構造とすることもできる。保護体２１はステンレス製、アルミ製、樹脂製等とすることができる。
【００２５】
前記支持体３は細長材（縦材）２６の上端に、それより径の大きいパイプ（横材）２７が横向きに連結されている。一例として図２に示す縦材２６は長さ１ｍ程度、直径１ｃｍ程度、横材２７は長さ１５ｃｍ程度、直径１．５ｃｍ程度としてあるが、それら以外のサイズであってもよい。横材２７には縦材２６に貫通する差込み孔２８が開口されており、その差込み孔２８に前記支持杆１８を差し込み可能としてある。
【００２６】
縦材２６の下端側には地中Ｇに差込み可能な差し込み部４としてある。縦材２６の上端側は下端の差し込み部４を地中Ｇに差し込んでも地表面Ｈから上方に突出できる長さにして、その上端側に装備された発光部本体２が土木作業用重機の操縦席に乗っているオペレーターから視認できるようにしてある。
【００２７】
前記支持杆１８、支持板１９、保護体２１、縦材２６、横材２７等は地中Ｇに差しても錆びないステンレス製とするのが望ましい。
【００２８】
（電池交換）
本発明の埋設物標示マーカー１の電池交換は、例えば次のように行うことができる。
（１）図４（ａ）に示すように、電源スイッチＳＷ１の操作部のキャップを取り外す（図４（ａ）の矢印Ｐ方向に引き抜く）。
（２）保護体２１の止め具２２（ビス）をドライバーで取り外し、保護体２１を上方（図４（ａ）の矢印Ｑ方向）に持ち上げて、取付け台座１７の支持板１９から取り外す。
（３）図４（ｂ）に示すように、発光部本体２を図４（ｂ）の矢印Ｒ方向に回転させ（相対的に受け材２０を図４（ｂ）の矢印Ｓ方向に回転させ）て、受け材２０から取り外す。
（４）図４（ｃ）に示すように、回路基板１２の裏面側から電池１３を取り外し、新しい電池１３に取り換える。
（５）電池１３の取換え後は、それまでとは逆の順序で、発光部本体２、保護体２１、キャップをセットし直す。
【００２９】
（使用例）
本発明の埋設物標示マーカー１は、例えば、次のように使用することができる。ここでは、埋設物標示マーカー１として青色発光のＬＥＤと赤色発光のＬＥＤが実装されたものを、掘削用重機としてショベル（バケット）がオペレーター（操縦者）側に向けて取り付けられたバックホウを用いる場合を一例として説明する。
（１）工事現場の図面（埋設物Ｘの位置等が示されたもの）で埋設物Ｘのおおよその位置を把握し、その近傍を図１（ａ）に示すように人力により先掘り（試掘り）する。
（２）図１（ｂ）に示すように、掘削した範囲内に埋設物Ｘがない場合、それを確認した作業者（刃先先任者）が埋設物標示マーカー１を地中Ｇに差込み、電源スイッチＳＷ１をＯＮにし、切り替えスイッチＳＷ２を青色側にセットして青色ＬＥＤを点灯させる。
（３）図１（ｃ）に示すように、掘削した範囲内に埋設物Ｘがある場合、それを確認した作業者（刃先先任者）は、当該埋設物Ｘの手前（掘削方向手前）５０ｃｍ程度のところに埋設物標示マーカー１を差込み、電源スイッチＳＷ１をＯＮにし、切替スイッチＳＷ２を赤色側に切替て赤色ＬＥＤを点灯させる。
（４）上記（１）乃至（３）の操作によって、埋設物Ｘの有無及び埋設位置を確認した後、バックホウを用いて掘削作業を行う。
【００３０】
前記使用例は一例であり、これ以外の掘削用重機を用いることも、これ以外の方法とすることもできるが、前記使用例によれば、青色のＬＥＤが点灯している場合には、埋設物標示マーカー１の差込み位置までは埋設物Ｘがないことを一見して把握することができるので、当該埋設物標示マーカーの位置まではスムーズに掘削作業を行うことができる。一方、赤色のＬＥＤが点灯している場合には、埋設物標示マーカー１の差込み位置よりも５０ｃｍ程度手前に埋設物Ｘがあることを一見して把握することができるので、掘削を埋設物標示マーカー１の差込み位置でやめれば、埋設物Ｘを破損することがない。
【００３１】
前記実施形態は、埋設物Ｘの有無で点灯する光源６、７の色を変えるようにしてあるが、本発明では、光源６、７は着色光を発光しないもの（白色光を発光するもの）とし、カバー１６を二色以上に色分けしておいて、埋設物Ｘの有無により切り替えスイッチを切替え操作して、カバー１６を透過する光が異なる着色光となるようにすることもできる。
【００３２】
本発明では、可能であれば、光の色を変えるのではなく、切り替えスイッチＳＷ２の切替え操作により、光源の発光を連続発光（点灯）と間欠発光（点滅）とに切替え可能としておき、埋設物Ｘの有無によりカバー１６を透過する光が点灯と点滅に切り替わるようにすることもできる。
【００３３】
本発明では、埋設物Ｘの有無により、識別可能な光に切替え操作可能であれば、他の方法、構成とすることができる。
【産業上の利用可能性】
【００３４】
本発明の埋設物指標マーカー１は、地中Ｇに埋設されている配管（水道管やガス管）やケーブル（通信用や送電用）といった各種埋設物Ｘ以外の埋設位置の標示や、土地の測量とか、他の土木工事といった、使用可能な各種箇所で使用することもできる。
【符号の説明】
【００３５】
１      埋設物標示マーカー
２      発光部本体
３      支持体
４      差し込み部
５      筐体
６、７  光源
８      平面
９、１０  斜面
１１    支持盤
１２    回路基板
１３    電池
１４    一方のマーク
１５    他方のマーク
１６    カバー
１７    取付け台座
１８    支持杆
１９    支持板
２０    受け材
２１    保護体
２１ａ〜２１ｄ  湾曲フレーム
２１ｅ  環状フレーム
２２    止め具
２３ａ、２３ｂ  スリット
２４    丸パイプ
２５    丸棒
２６    細長材（縦材）
２７    横材
２８    差込み孔
Ｇ      地中
Ｈ      地表面
Ｘ      埋設物
ＳＷ１  電源スイッチ
ＳＷ２  切り替えスイッチ
【図１】
2014029069.tif 000003
【図２】
2014029069.tif 000004
【図３】
2014029069.tif 000005
【図４】
2014029069.tif 000006